(57)【要約】【課題】磁石を用いずに、扉を開放操作するだけで、確実に扉を開放位置で固定する戸当り装置を提供することを目的とする。【解決手段】本考案の戸当り装置１は、扉側装置２と床面側装置３とを備え、扉側装置２が、ハウジング２１と、ハウジング２１内に収容された状態と下端面から突出した状態の両方の状態で保持可能な係止部材２２と、係止部材２２を操作可能である操作部材２３と、床面側装置３と接触する当接部２４とを備え、床面側装置３が、扉Ｄを停止させる停止部３２と、係止部材２２が嵌まり込む係合穴３３とを備え、係止部材２２が、ハウジング２１の下端面から突出した状態で扉Ｄを開放操作したとき、係止部材２２の傾斜部２２ｂが停止部３２と当接することにより、係止部材２２が上側に移動し、停止部３２と当接部２４とが当接したときに、係止部材２２が下側に移動して係合穴３３に嵌まり込む。【選択図】図１
0003180897.tif 000002
【実用新案登録請求の範囲】
【請求項１】
扉を所望の位置で固定することが可能な戸当り装置であって、
該戸当り装置が、扉の下端近傍に取り付けられる扉側装置と、床面に取り付けられる床面側装置とを備え、
前記扉側装置が、ハウジングと、上下動可能に前記ハウジング内に設けられ、前記ハウジング内に収容された状態と前記ハウジングの下端面から突出した状態の両方の状態で保持可能な係止部材と、該係止部材を上下に操作可能である操作部材と、前記扉を前記床面側装置に向かって回転する開放操作時に前記床面側装置と接触する当接部とを備え、
前記床面側装置が、床面に固定される装置本体と、前記開放操作時に、前記扉側装置と接触して扉の回転を停止させる停止部と、前記係止部材が嵌まり込む係合穴とを備え、
前記係止部材は、前記開放動作時に前記停止部と接触する側に傾斜部を備え、前記係止部材が前記係合穴に嵌まり込んだ状態から、扉を閉鎖する方向に操作したときに前記係合穴と接触する側に垂直部が形成され、
前記係止部材が、前記ハウジングの下端面から突出した状態で、前記扉を開放操作したときに、前記係止部材の傾斜部が前記停止部と当接することにより、前記係止部材が上側に移動し、前記停止部と前記扉側装置の当接部とが当接したときに、前記係止部材が下側に移動して前記係合穴に嵌まり込むことを特徴とする戸当り装置。
【請求項２】
前記係止部材が、前記操作部材にバネにより接続され、前記バネが前記係止部材を下側に付勢することを特徴とする請求項１記載の戸当り装置。
【請求項３】
前記停止部が、弾性材料により形成されてなることを特徴とする請求項１または２記載の戸当り装置。
【請求項４】
前記停止部が、前記装置本体に着脱自在に取り付けられていることを特徴とする請求項１〜３のいずれか１項に記載の戸当り装置。
【請求項５】
前記当接部の表面から前記係止部材の垂直部の表面までの水平方向の幅が、前記停止部の垂直面の表面から、前記係合穴のうち、前記係止部材の垂直部と対向する垂直面の表面までの水平方向の幅とがほぼ等しくなるように形成されていることを特徴とする請求項１〜４のいずれか１項に記載の戸当り装置。
【考案の詳細な説明】
【技術分野】
【０００１】
本考案は、戸当り装置に関する。
【背景技術】
【０００２】
扉を所定の位置で保持するための装置として、たとえば、特許文献１に開示された構造が知られている。この特許文献１に示された装置１００は、図９に示されるように、扉Ｄの遊端下部に設けられた入り隅状の被係合部１０１と、閉じた扉の被係合部１０１に対向する床Ｆ側に配設された磁性体からなる係合部材１０２と、磁石１０３を備えている。
【０００３】
床Ｆ側に設けられた係合部材１０２は、倒伏姿勢と先端が前記被係合部１０１に係合する傾斜姿勢（図９に示す状態）との間で上下揺動可能に一端部が支承され、磁石１０３は、扉Ｄ側の被係合部材１０４に設けられ、磁気吸着力により係合部材１０２を倒伏姿勢から傾斜姿勢へ引き上げて、その先端を扉Ｄの被係合部１０１に係合させて、扉Ｄが閉じ限位置から内側へ移動するのを阻止する。
【０００４】
特許文献１に記載された装置１００では、被係合部１０１と係合部材１０２の先端とが係合する状態において、扉Ｄの強制開動により互いに離脱可能な状態で略上下方向に互いに嵌合し合う凹部１０５と円錐状の可動突起１０６とが、被係合部材１０４側と係合部材１０２側とに設けられている。可動突起１０６は、扉Ｄ側に略上下方向に一定範囲内で出退移動自在に設けられ、かつスプリング１０７により下向き突出方向に付勢されている。
【０００５】
上記構成により、図９に示すように扉Ｄが閉じ限位置に達したとき、磁石１０３により引き上げられて上方に回動した床Ｆ側の係合部材１０２の先端部が、扉Ｄ側の可動突起１０６をスプリング１０７の付勢力に抗して押し上げながら、被係合部材１０４の傾斜底面とストッパー１０８との間の空間１０９内に進入し、先端が入り隅状の被係合部１０１に係合したとき、スプリング１０７の付勢力で下降突出する可動突起１０６が係合部材１０２側の凹部１０５内に嵌入する。
【０００６】
すなわち、特許文献１の装置１００は、スプリング１０７により可動突起１０６を下向きに付勢することにより、係合部材１０２が永久磁石１０３の磁力によって引きつけられて引き上げられたときに、床Ｆに対して旋回可能に設けられた係合部材１０２の凹部１０５に可動突起１０６を嵌入させて、扉Ｄを閉鎖された状態に保持するものである。
【０００７】
上記のように、特許文献１に記載された装置１００は、磁石１０３により床Ｆ側の磁性体からなる係合部材１０２を吸着して扉Ｄを所定の位置で保持する。しかしながら、磁石１０３は価格の変動が大きく、装置全体の価格を押し上げてしまうという問題があり、場合によっては、磁石１０３の価格の高騰により、提供価格よりも製造原価が上回ってしまう場合もあり得る。したがって、磁石を用いずに扉Ｄを所定の位置で保持する装置が求められている。
【０００８】
一方、磁石を用いずに扉Ｄを所定の位置で保持する別の装置として、特許文献２に開示された装置が知られている。この特許文献２に開示された装置２００は、図１０に示されるように、扉Ｄの下端縁部分に形成された凹孔２０１に嵌入設置されるケース本体２０２と、このケース本体２０２に内設される調整用螺子部材２０３と、この調整用螺子部材２０３に一端が係合し介在されるスプリング２０４により付勢しながら扉Ｄの端縁より外方に突出する係合ロッド２０５とから構成されている。
【０００９】
すなわち、特許文献２には、スプリング２０４により係合ロッド２０５を下向きに付勢して、当該係合ロッド２０５を床面Ｆに設けられた受けキャッチ２０６に係合することにより扉を開放した状態に保持する装置２００が開示されている。
【００１０】
上述の特許文献１の装置１００および特許文献２の装置２００はともに、扉Ｄを開くまたは閉じる操作をすることにより、スプリング１０７と可動突起１０６、スプリング２０４と係合ロッド２０５により、ある程度自動で扉Ｄを所定の位置に保持することができる。
【先行技術文献】
【特許文献】
【００１１】
【特許文献１】特開２０００−８０８５５号公報
【特許文献２】特開平９−２５７５６号公報
【考案の概要】
【考案が解決しようとする課題】
【００１２】
しかしながら、特許文献１の装置１００は、上述したように、磁石を用いているため、製造コストが高く、かつ不安定であるという問題がある。さらに、特許文献１では、磁石１０３を用いて床Ｆ側の係合部材１０２を引き上げて扉Ｄを所定の位置で停止させるのであるが、扉Ｄを開く速度が速い場合、扉Ｄが、磁石１０３に吸着された係合部材１０２が被係合部材１０４の傾斜底面に当接するよりも早く、係合部材１０２の上方まで移動した場合は、旋回した係合部材１０２の先端１０２ａは、扉Ｄの底面ＤＬに当接して扉Ｄは所望の保持位置で保持されることなく移動し続けてしまうおそれがある。その場合、扉Ｄおよび装置１００は、係合部材１０２により停止されることなく、扉Ｄおよび装置１００が所望の位置で保持されず、壁等に衝突してしまうおそれがある。
【００１３】
また、特許文献１や特許文献２に記載された装置１００、２００は、扉Ｄのある程度の保持は可能であるが、扉Ｄに開放または閉鎖方向の力が加わった場合には、扉Ｄの保持は解除され、所望の位置での確実な固定ができない。
【００１４】
以上のような問題から、本考案は、磁石を用いずに、扉を開放操作するだけで、確実に扉を開放位置で固定する戸当り装置を提供することを目的とする。
【課題を解決するための手段】
【００１５】
本考案の戸当り装置は、扉を所望の位置で固定することが可能な戸当り装置であって、該戸当り装置が、扉の下端近傍に取り付けられる扉側装置と、床面に取り付けられる床面側装置とを備え、前記扉側装置が、ハウジングと、上下動可能に前記ハウジング内に設けられ、前記ハウジング内に収容された状態と前記ハウジングの下端面から突出した状態の両方の状態で保持可能な係止部材と、該係止部材を上下に操作可能である操作部材と、前記扉を前記床面側装置に向かって回転する開放操作時に前記床面側装置と接触する当接部とを備え、前記床面側装置が、床面に固定される装置本体と、前記開放操作時に、前記扉側装置と接触して扉の回転を停止させる停止部と、前記係止部材が嵌まり込む係合穴とを備え、前記係止部材は、前記開放動作時に前記停止部と接触する側に傾斜部を備え、前記係止部材が前記係合穴に嵌まり込んだ状態から、扉を閉鎖する方向に操作したときに前記係合穴と接触する側に垂直部が形成され、前記係止部材が、前記ハウジングの下端面から突出した状態で、前記扉を開放操作したときに、前記係止部材の傾斜部が前記停止部と当接することにより、前記係止部材が上側に移動し、前記停止部と前記扉側装置の当接部とが当接したときに、前記係止部材が下側に移動して前記係合穴に嵌まり込むことを特徴とする。
【００１６】
また、前記係止部材が、前記操作部材にバネにより接続され、前記バネが前記係止部材を下側に付勢することが好ましい。
【００１７】
また、前記停止部が、弾性材料により形成されてなることが好ましい。
【００１８】
また、前記停止部が、前記装置本体に着脱自在に取り付けられていることが好ましい。
【００１９】
また、前記当接部の表面から前記係止部材の垂直部の表面までの水平方向の幅が、前記停止部の垂直面の表面から、前記係合穴のうち、前記係止部材の垂直部と対向する垂直面の表面までの水平方向の幅とがほぼ等しくなるように形成されていることが好ましい。
【考案の効果】
【００２０】
本考案の戸当り装置によれば、磁石を用いずに、扉を開放操作するだけで、確実に扉を開放位置で固定することができる。したがって、磁石を用いていないため、安価で小型な戸当り装置を提供することができる。また、扉を強い力で開放したり、強風により扉が速い速度で開放した場合などであっても、確実に扉を所望の位置で固定することができる。
【図面の簡単な説明】
【００２１】
【図１】本考案の戸当り装置を示す断面図である。
【図２】図１に示す戸当り装置の扉側装置と床面側装置とが係合した状態を示す断面図である。
【図３】（ａ）〜（ｄ）は、本考案の戸当り装置に用いられる操作部材保持機構を説明する図である。
【図４】（ａ）は、床面側装置から停止部が除去された状態を示す上面図であり、（ｂ）は、床面側装置から取り外された停止部を示す図である。
【図５】（ａ）は、床面側装置から停止部が除去された状態を示す側方から見た断面図であり、（ｂ）は、床面側装置から取り外された停止部を側面側から見た図である。
【図６】（ａ）は、床面側装置から停止部が除去された状態を示す下面図であり、（ｂ）は、床面側装置から取り外された停止部を示す下面図である。
【図７】係止部材の他の態様を示す図である。
【図８ａ】本考案の戸当り装置の動作を説明するための図である。
【図８ｂ】本考案の戸当り装置の動作を説明するための図である。
【図８ｃ】本考案の戸当り装置の動作を説明するための図である。
【図８ｄ】本考案の戸当り装置の動作を説明するための図である。
【図９】従来の扉を所定の位置で保持するための装置を示す図である。
【図１０】従来の扉を所定の位置で保持するための装置を示す図である。
【考案を実施するための形態】
【００２２】
以下、添付図面を参照して、本考案の戸当り装置を詳細に説明する。
【００２３】
本考案の戸当り装置は、扉を所望の位置で固定することが可能な戸当り装置である。なお、本明細書において、「扉を固定」とは、扉の開放方向、閉鎖方向への操作によっても、扉が動かない状態をいうものであり、上述した特許文献１および２のように、扉の位置をある程度保持できるが、扉が開放方向、閉鎖方向に操作されることにより、扉が動くものは除かれる。
【００２４】
図１に示されるように、本考案の戸当り装置１は、扉Ｄの下端近傍に取り付けられる扉側装置２と、床面Ｆに取り付けられる床面側装置３とを備えている。扉側装置２は、たとえば、ネジ等の公知の固定手段により、扉Ｄに取り付けられ、扉Ｄと一体となって移動する。扉側装置２は、扉Ｄの旋回中心から遠い側の扉Ｄの下端近傍に設けられる。また、扉側装置２は、扉Ｄが閉鎖した状態から見て、扉Ｄの開放方向側の面に取り付けられる。
【００２５】
扉側装置２は、図１および図２に示されるように、ハウジング２１と、上下動可能にハウジング２１内に設けられ、ハウジング２１内に収容された状態とハウジング２１の下端面から突出した状態の両方の状態で保持可能な係止部材２２と、係止部材２２を上下に操作可能である操作部材２３と、扉Ｄを床面側装置３に向かって回転する開放操作時に床面側装置３と接触する当接部２４とを備えている。
【００２６】
ハウジング２１は、本考案の目的を達成するための各部材を収容し、本実施形態においては、係止部材２２、操作部材２３、後述する操作部材２３を上方側に付勢する、コイルバネとして示されている付勢手段Ｓ１、係止部材２２を下方に付勢する係止部材付勢手段Ｓ２を収容する。上述したように、扉側装置２には、磁石は設けられておらず、ハウジング２１の底面側には係止部材２２がハウジング２１から出没自在となるように、貫通孔２１ａが形成されている。
【００２７】
ハウジング２１の材質は、特に限定されるものではなく、金属製であっても、樹脂製であってもよい。また、ハウジング２１全体の形状も特に限定されず、扉Ｄに取り付けが可能であり、内部に各部材を収容できるものであれば、円柱状であっても、角柱状であっても、それ以外の形状であってもよい。
【００２８】
また、当接部２４は、扉Ｄを開放操作したときに、床面側装置３と接触して扉Ｄを停止させる部材であり、係止部材２２が図１のようにハウジング２１内に収容されているときは、当接部２４と床面側部材３とが当接して、扉Ｄが壁等に衝突することを防止する。本実施の形態では、当接部２４はハウジング２１と一体で形成されているが、別部材から構成してもよい。
【００２９】
操作部材２３は、係止部材２２を上下に操作する部材であり、本実施形態では、ハウジング２１の上部から突出する操作ボタンとして示されている。本実施形態では、操作部材２３を一度下側に押し込むことにより、操作部材２３が下側の位置で保持され、さらにもう一度下側に操作部材２３を押し込むことにより、操作部材２３が上側に移動して、上側の位置で保持される。操作部材２３が上下に移動することにより、操作部材２３に連結された係止部材２２も上下に移動するように構成されている。
【００３０】
なお、本実施形態では、操作部材２３と係止部材２２とは、係止部材２２に設けられた上下に伸びるガイド孔２２ａ内に、操作部材２３に設けられたピンＰが差し込まれて連結されるとともに、係止部材２２が操作部材２３に対して相対的に移動できるように構成されている。また、本実施形態では、図１および図２に示されるように、係止部材２２は、操作部材２３に形成された凹部２３ａ内に、係止部材２２の上端が収容され、凹部２３ａ内には、コイルバネとして示されている、係止部材２２を下方に付勢する係止部材付勢手段Ｓ２が設けられている。なお、本考案においては、係止部材付勢手段Ｓ２を凹部２３ａ内に必ずしも設けなくても良いが、後述するように、係止部材付勢手段Ｓ２を設けることにより、係止部材２２の床面側装置３との係止をより確実にすることができる。
【００３１】
また、本実施形態においては、操作部材２３は、係止部材２２を上下方向の所定の位置で保持するために、操作部材保持機構を有している。具体的には、操作部材保持機構は、ハウジング２１の底面と、操作部材２３の下端との間に設けられた付勢手段Ｓ１と、ハウジング２１に形成された、保持部材ガイド溝２１ｂと、保持部材ガイド溝２１ｂ内を移動する保持部材２５とにより構成されている（図３（ａ）〜（ｄ）参照）。
【００３２】
この構成は、たとえば、特開２０１０−０５９７５９等により公知であり、特に詳細については説明しないが、図３（ａ）〜（ｄ）に示されるように、保持部材２５が向きを変えながら、保持部材ガイド溝２１ｂ内をガイドされ、上下２箇所の位置で、保持部材ガイド溝２１ｂ内でひっかかることにより（図３（ａ）および（ｃ）の状態）、操作部材２３を保持することができる。なお、付勢手段Ｓ１は、下側で保持部材２５のひっかかりが解除されたとき（図３（ｃ）から図３（ｄ）に移行した状態）に、操作部材２３が上方に復帰するために操作部材２３を上方に付勢している。なお、操作部材２３が、係止部材２２の上下位置を保持するための構成は、図示した構成に示されるものではなく、公知の他の構造を用いてもよい。
【００３３】
床面側装置３は、図１および図２に示されるように、床面Ｆに固定される装置本体３１と、扉Ｄの開放操作時に、扉側装置２、具体的には当接部２４と接触して扉Ｄの回転を停止させる停止部３２と、係止部材２２が嵌まり込む係合穴３３とを備えている。
【００３４】
装置本体３１は、床面Ｆにネジなどの公知の固定手段により取り付けられる部材である。床面側装置３全体は、できるだけ床面Ｆから突出しないように、扁平な形状であることが好ましく、装置本体３１も扁平な形状であることが好ましい。装置本体３１の材質は、金属製であっても、樹脂製であってもよく、特に限定されない。また、装置本体３１の全体の形状は、扁平であることが好ましいが、全体的な輪郭は、円形であっても、矩形であってよく、特に限定されない。なお、図１および図２に示されるように、停止部３２側を床面Ｆから垂直になるように設け、停止部３２とは反対側をテーパ状に形成してもよい。
【００３５】
装置本体３１には、図１、図２、図４（ａ）、図５（ａ）等に示されるように、係止部材２２が嵌まり込むための係合穴３３が形成されている。なお、図４（ａ）は、床面側装置３から停止部３２が除去された状態を示す上面図であり、図４（ｂ）は、床面側装置３から取り外された停止部３２を示す図であり、図５（ａ）は、床面側装置３から停止部３２が除去された状態を示す側方から見た断面図であり、図５（ｂ）は、床面側装置３から取り外された停止部３２を側面側から見た図であり、図６（ａ）は、床面側装置３から停止部３２が除去された状態を示す下面図であり、図６（ｂ）は、床面側装置３から取り外された停止部３２を示す下面図である。係合穴３３は、図２に示すように、係止部材２２が嵌まり込むことができれば、図４（ａ）および図６（ａ）に示すような矩形であってもよいし、円形等、他の形状であってもよい。係合穴３３は、図５（ａ）に示されるように、係合穴３３の内側壁が床面Ｆに対して垂直になるように形成されている。特に、後述する係止部材２２の垂直部２２ｃと当接する面が垂直になるように構成されているが、この点については後述する。
【００３６】
停止部３２は、図２に示されるように、扉側装置２の当接部２４と当接して、扉Ｄの開放方向（図１および図２中、左方向）への移動を規制する部位である。停止部３２は、弾性を有する樹脂、またはゴム等の弾性材料から形成されることが好ましい。本実施形態においては、停止部３２は、装置本体３１に着脱自在に取り付けられている。停止部３２は、扉Ｄの開放の都度、当接部２４が当接し、後述するように、係止部材２２とも接触するため、停止部３２を着脱自在とすることにより、停止部３２の交換を容易にすることができる。したがって、当接部２４と停止部３２との接触、後述する係止部材２２との接触による衝撃を緩和することができるだけでなく、衝撃が加わる部分を着脱自在とすることにより容易に停止部３２を交換できるように構成することにより、戸当り装置１の性能を容易に維持することができる。
【００３７】
本実施形態では、床面側装置３の装置本体３１には、扉側装置２の当接部２４と当接する側に、停止部収容凹部３１ａが形成され、この停止部収容凹部３１ａに停止部３２がはめ込まれる。停止部３２は、床面Ｆから垂直に伸びる垂直部分３２ａと、垂直部分３２ａの下縁から床面Ｆに沿って伸びる延設部３２ｂと、延設部３２ｂの端部から延設部３２ｂに対して両垂直方向に、床面Ｆに沿って伸びる係合延設部３２ｃとを備えている。一方、装置本体３１には、停止部収容凹部３１ａの他に、床面Ｆに対向する部分に、停止部３２の延設部３２ｂと係合延設部３２ｃとで形成されるＴ字状の部分と相補的な形状である案内溝３１ｂ、３１ｃが形成されている。なお、案内溝３１ｂは、延設部３２ｂを収容し、案内溝３１ｃは、係合延設部３２ｃを収容する。このような構成により、装置本体３１を床面Ｆにネジ穴Ｈ（図４（ａ）参照）を介して取り付け、取り外しをするときに、容易に停止部３２を装置本体３１に取り付けたり、取り外したりすることを可能にする。また、停止部３２単体での交換も容易となる。
【００３８】
つぎに、本考案の係止部材２２について説明する。ハウジング２１内に収容された係止部材２２は、扉Ｄを所定の位置で固定するために用いられる部材である。係止部材２２は、図１および図２に示されるように、扉Ｄの開放動作時に停止部３２と接触する側に傾斜部２２ｂを備え、係止部材２２が係合穴３３に嵌まり込んだ状態から、扉Ｄを閉鎖する方向に操作したときに係合穴３３と接触する側に垂直部２２ｃが形成されている。すなわち、係止部材２２が、ハウジング２１の下端面から突出した状態で、扉Ｄを開放操作したときに、係止部材２２の傾斜部２２ｂが停止部３２と当接することにより、係止部材２２が上側に移動し、停止部２４と扉側装置２の当接部２４とが当接したときに、係止部材２２が下側に移動して係合穴３３に嵌まり込み、扉Ｄが固定されるように構成されている。この構成により、本考案の戸当り装置１は、磁石を用いずに、扉Ｄを開放操作するだけで、確実に扉Ｄを開放位置で固定することができる。したがって、磁石を用いていないため、安価で小型な戸当り装置を提供することができる。また、扉Ｄを強い力で開放したり、強風により扉Ｄが速い速度で開放した場合などであっても、確実に扉Ｄを所望の位置で固定することができる。
【００３９】
なお、係止部材２２の傾斜部２２ｂは、図１および図２に示す傾斜部２２ｂが直線状、または平面状のものに限られず、図７に示されるように、湾曲して傾斜した傾斜部２２ｂであってもよい。すなわち、傾斜部２２ｂが停止部３２と当接したときに、係止部材２２が上方に移動するように構成されていればよい。
【００４０】
つぎに、図１、図２、図８ａ〜図８ｄを用いて、本考案の戸当り装置１の動作を説明する。
【００４１】
まず、係止部材２２をハウジング２１の下端から突出させないで扉Ｄを開閉する通常の使用時について説明する。図１に示されるように、扉側装置２の操作部材２３を操作（下方へ押し込む操作）しない場合は、係止部材２２はハウジング２１内に収容された状態である。この状態から、図１に左向きの矢印で示される開放方向に扉Ｄを移動させると、扉Ｄは、床面側装置３に向かって移動する。そのまま扉Ｄを開いていくと、扉側装置２の当接部２４と床面側装置３の停止部３２とが当接する。これにより、一般的な戸当りと同様に、壁等に扉Ｄが衝突することを防止することができる。
【００４２】
また、図２に示されるように、扉側装置２の当接部２４と床面側装置３の停止部３２とが当接した状態で、操作部材２３を下側に押し込むと、操作部材２３に連結された係止部材２２も下方に移動し、係止部材２２の先端部が係合穴３３に入りこみ、係止部材２２と係合穴３３とが係合する。係止部材２２には、係合穴３３のうち、係止部材２２の垂直部２２ｃと対向する面が、垂直面として形成されているため、垂直部２２ｃと係合穴３３の垂直面が当接し、扉Ｄに閉鎖方向の力が加わっても、扉Ｄが閉鎖することがなく、扉Ｄを開放位置で固定することができる。扉Ｄの開放位置での固定を解除する場合は、再度操作部材２３を押し込むことにより、操作部材２３が上方に復帰し、それに伴って係止部材２２も上昇し、係止部材２２と係合穴３３との係合が解除され、扉Ｄが閉鎖方向に移動できるようになる。
【００４３】
つぎに、図８ａ〜図８ｄにより、扉Ｄを開放操作するだけで、扉Ｄを開放位置で固定できる機能について説明する。
【００４４】
まず、図８ａに示されるように、扉Ｄを開放操作する前（床面側装置３上に扉側装置２が位置する手前の位置）に、操作部材２３を操作して、係止部材２２をハウジング２１の下端面から突出させる。そのまま扉Ｄを開放方向に操作すると、図８ｂに示されるように、係止部材２２の傾斜部２２ｂと、床面側部材３の停止部３２とが当接する。ここで、上述したように、係止部材２２は、操作部材２３に対して上下動可能に構成されているため、傾斜部２２ｂと停止部３２が当接し、そのまま扉Ｄが開放方向に操作されると、傾斜部２２ｂを介して、係止部材２２は上方向に移動する力を停止部３２から受ける。
【００４５】
扉Ｄの開放方向への力を、弾性材料から構成される停止部３２によって衝撃および音を緩和しながら、係止部材２２は、停止部３２の上方に乗り上げる（図８ｃ参照）。そして、そのまま開放方向への移動が可能になり、係止部材２２が、床面側装置３の係合穴３３の上方に位置した時点で、係止部材２２の自重、または係止部材２２を下方に付勢する係止部材付勢手段Ｓ２の付勢力により、係合穴３３に嵌まり込んで、係止部材２２と係合穴３３とが係合する（図８ｄ参照）。
【００４６】
このように、扉Ｄの開放操作だけで、扉Ｄを開放位置で容易に固定することができる。また、このとき、扉側装置２の当接部２４の表面から係止部材２２の垂直部２２ｃの表面までの水平方向の幅（図１中、左右方向の幅）が、停止部３２の垂直面の表面から係合穴３３のうち、垂直部２２ｃと対向する垂直面の表面までの水平方向の幅がほぼ等しくなるように形成されているため、当接部２４と停止部３２とが当接した時点で、係止部材２２が係合穴３３に嵌まり込むため、係止部材２２の係合位置が確実に位置決めされ、係止部材２２が確実に床面側装置３と係合することができる。したがって、どれだけ速い速度で、扉Ｄが開放したとしても、確実に係止部材２２を係合穴３３に係合させることができる。速い速度で扉Ｄが開放された場合、当接部２４と停止部３２が衝突したときに、開放方向とは逆向きに扉Ｄが跳ね返り、閉鎖方向に扉Ｄが移動しようとして、係止部材２２が係合穴３３に充分嵌まりこんでいない場合は、係合が確保されない可能性があるが、係止部材２２が、係止部材付勢手段Ｓ２により、下方に付勢されることにより、より確実な係合を可能にする。すなわち、係止部材付勢手段Ｓ２を設けることにより、係止部材２２の自重に加えて、係止部材付勢手段Ｓ２の付勢力が下方に働くため、係止部材２２が係合穴３３の直上に位置した瞬間に、係止部材２２が係合穴３３に嵌まり込むことができるため、扉Ｄが閉鎖方向に跳ね返ろうとする前に、係合を確保することができる。
【符号の説明】
【００４７】
１  戸当り装置
２  扉側装置
２１  ハウジング
２１ａ  貫通孔
２１ｂ  保持部材ガイド溝
２２  係止部材
２２ａ  ガイド孔
２２ｂ  傾斜部
２２ｃ  垂直部
２３  操作部材
２３ａ  凹部
２４  当接部
２５  保持部材
３  床面側装置
３１  装置本体
３１ａ  停止部収容凹部
３１ｂ、３１ｃ  案内溝
３２  停止部
３２ａ  垂直部分
３２ｂ  延設部
３２ｃ  係合延設部
３３  係合穴
Ｄ  扉
Ｆ  床面
Ｐ  ピン
Ｓ１  付勢手段
Ｓ２  係止部材付勢手段
【図１】
0003180897.tif 000003
【図２】
0003180897.tif 000004
【図３】
0003180897.tif 000005
【図４】
0003180897.tif 000006
【図５】
0003180897.tif 000007
【図６】
0003180897.tif 000008
【図７】
0003180897.tif 000009
【図８ａ】
0003180897.tif 000010
【図８ｂ】
0003180897.tif 000011
【図８ｃ】
0003180897.tif 000012
【図８ｄ】
0003180897.tif 000013
【図９】
0003180897.tif 000014
【図１０】
0003180897.tif 000015